(57)【要約】【課題】積極的にろ過の効果を高め、経済効果を高めるフィルタバッグ式フィルタ構造を提供する。【解決手段】フィルタバッグ式フィルタ構造は、フィルタフレームユニット及び複数個のフィルタバックを含む。フィルタフレームユニット周囲はフレーム辺を具える。そのうち、相対するフレーム辺間には複数本の連接凸を設置し、フィルタフレーム区域を複数個の入風口に形成する。複数個のフィルタバックの数と入風口の数は同じで、袋体及び枠体を含む。袋体は開口箇所を含み、枠体は複数本の連接体及び袋体辺フレームから構成される格子フレームであり、その連結は袋体該開口箇所で実施し、該開口箇所をしっかりと固定する。さらに枠体の袋体辺フレームはフィルタフレームユニットの入風口に嵌入し、これによってフィルタバックを該枠体でフィルフレームユニット上に嵌合する。【選択図】図１
0003145092.tif 000002
【実用新案登録請求の範囲】
【請求項１】
フィルタ構造を含むフィルタバッグ式フィルタ構造において、
錆び防止機能を具えた金属材で製造し、周囲はそれぞれフレーム辺を具え、そのうち、相対するフレーム辺間には複数本の連接凸を設置し、フレーム辺に囲まれたフィルタフレーム区域を複数個の入風口とするフィルタフレームユニットと、
開口箇所を具える袋体と、複数本の連接体及び袋体辺フレームから構成される格子フレームは該袋体の該開口箇所に連結し、開口箇所をしっかり固定し、且つ該袋体辺フレームは該フィルタフレームユニットの該入風口に嵌合する枠体を含む、入風口の数と同じ複数個のフィルタバックと、を含むことを特徴とするフィルタバッグ式フィルタ構造。
【請求項２】
前記フィルタフレームユニットの該入風口はその形状が矩形、円形、三角形、菱形、蜂の巣形及び幾何学図形のいずれかであることを特徴とする、請求項１記載のフィルタバッグ式フィルタ構造。
【請求項３】
前記フィルタバックの袋体材質は、不織布、ガラス繊維及び合成繊維のいずれかであることを特徴とする、請求項１記載のフィルタバッグ式フィルタ構造。
【請求項４】
前記フィルタバックの該袋体は、ライナー部を含み、該ライナー部は縫合方式で該袋体内側面に縫い付けることを特徴とする、請求項１記載のフィルタバッグ式フィルタ構造。
【請求項５】
前記フィルタバックの該枠体は、その材質が紙類、プラスチック及び金属のいずれかであることを特徴とする請求項１記載のフィルタバッグ式フィルタ構造。
【請求項６】
フィルタ構造を含むフィルタバッグ式フィルタ構造において、
錆び防止機能を具えた金属材で製造し、周囲はそれぞれフレーム辺を具え、そのうち、相対するフレーム辺間には複数本の連接凸を設置し、フレーム辺に囲まれたフィルタフレーム区域を複数個の入風口とするフィルタフレームユニットと、
開口箇所を具える袋体と、該袋体の該開口箇所に連結し、開口箇所をしっかり固定し、且つ該フィルタフレームユニットの該入風口に嵌合する枠体を含み、入風口の数と同じ複数個のフィルタバックと、を含むことを特徴とする、フィルタバッグ式フィルタ構造。
【請求項７】
前記フィルタフレームユニットの該入風口は、その形状が矩形、円形、三角形、菱形、蜂の巣形及び幾何学図形のいずれかであることを特徴とする、請求項６記載のフィルタバッグ式フィルタ構造。
【請求項８】
前記フィルタバックの袋体は、その材質が不織布、ガラス繊維及び合成繊維のいずれかであることを特徴とする、請求項６記載のフィルタバッグ式フィルタ構造。
【請求項９】
前記フィルタバックの該袋体は、ライナー部を含み、該ライナー部は縫合方式で該袋体内側面に縫い付けることを特徴とする、請求項６記載のフィルタバッグ式フィルタ構造。
【請求項１０】
前記フィルタバックの該枠体は、その材質が紙類、プラスチック及び金属のいずれかであることを特徴とする請求項６記載のフィルタバッグ式フィルタ構造。
【考案の詳細な説明】
【技術分野】
【０００１】
本考案は、フィルタバッグ式フィルタ構造に関するもので、特に一種の空調システム設備に用いるフィルタ構造に係る。
【背景技術】
【０００２】
科学技術の進歩に従い、空調システムは大幅に各種領域に運用されている。密閉された空間内の各種環境要素をコントロールするため、一般の部屋は当然であるが、例として無塵作業室，中央空調コントロールルーム、更にはビルの地下室、地下鉄システム等...すべて空調システムが必要である。空調システムの重要点は動力のプレス設備を提供する他に，空気のろ過システムを提供することである。
【０００３】
空気中の各種粉塵、雜質、異物…をろ過するのは、空調システムの基本的要求である。高科学技術が台湾で発展するに従い、この機能に対する要求は更に高まっている。また空調システムの機能の優劣は、空気ろ過システムの良し悪しに繋がっているため、空気ろ過システムの要求は日増しに高くなっている。
【０００４】
公知の空気ろ過設備のフィルタフレーム及びフィルタ材はすべて一体成型で確かに交換しやすいという長所があるが、長期的に見ると、コスト高で且つ環境保護の点で劣る。
そのため、過去に多くの空調フィルタ設置構造が世に出ている。
例として下記に記すが、これらは主にフィルタバックとモジュール化したフィルタフレームユニットを相互に組み合わせて設置や取外しを便利にしており、また公知の一体成型フィルタの環境保護への配慮不足及びコスト高の欠点を克服している。
【特許文献１】台湾実用新案登録第Ｍ２５８７９６号
【特許文献２】台湾実用新案登録第Ｍ２５８９７５号
【考案の開示】
【考案が解決しようとする課題】
【０００５】
解決しようとする問題点は、このフィルタバック及びモジュール化したフィルタフレームユニットを合せるのに、そのろ過の効率と効果には改善の空間がある点である。
【０００６】
フィルタバック及びモジュール化したフィルタフレームの組み合わせの長所を残しつつ、且つ積極的にろ過の効果を高め、経済効果を高めることを本考案の課題とする。
【課題を解決するための手段】
【０００７】
本考案は、フィルタフレームユニット及び複数個のフィルタバックを含む。フィルタフレームユニット周囲は各一フレーム辺を具える。そのうち、相対するフレーム辺間には複数本の連接凸を設置し、フィルタフレーム区域を複数個の入風口に形成する。複数個のフィルタバックの数と入風口の数は同じで、袋体及び枠体を含む。袋体は開口箇所を含み、枠体は複数本の連接体及び一袋体辺フレームから構成される格子フレームであり、その連結は袋体該開口箇所で実施し、該開口箇所をしっかりと固定する。さらに枠体の袋体辺フレームはフィルタフレームユニットの入風口に嵌入し、これによってフィルタバックを該枠体でフィルタフレームユニット上に嵌合することを最も主要な特徴とする。
【考案の効果】
【０００８】
本考案のフィルタバッグ式フィルタ構造は、積極的にろ過の効果を高め、経済効果を高めるという利点がある。
【考案を実施するための最良の形態】
【０００９】
一種のフィルタバッグ式フィルタ構造を提供し、特に一種の空調システム設備に応用するフィルタ構造を提供することを本考案の目的とする。
【００１０】
本考案の一種のフィルタバッグ式フィルタ構造は、フィルタフレームユニット及びと複数個のフィルタバックを含む。フィルタフレームユニットは錆び防止機能を具えた金属材で作られ、周囲はフレーム辺を具える。そのうち、相対するフレーム辺間には複数本の連接凸を設置し、該フィルタフレーム区域を複数個の入風口とし、入風口形状は矩形、円形、三角形、菱形、蜂の巣形もしくは幾何学図形とする。
【００１１】
複数個のフィルタバックの数量は、入風口の数と同じである。またフィルタバックは更に開口箇所を具える袋体及び枠体を含む。そのうち、袋体材質は不織布、ガラス繊維もしくは合成繊維で製造し、且つ該袋体は一ライナー部を含み、該ライナー部は縫合方式によって袋体内側面に縫い合わせる。
【００１２】
枠体は、袋体開口箇所に連結し、該開口箇所をしっかりと固定する。更に枠体の袋体辺フレームはフィルタフレームユニットの入風口に嵌入し、フィルタバックを該枠体でフィルタフレームユニット上に嵌合固定する。
【００１３】
枠体形状は、複数本の連接体及び袋体辺フレームで構成した格子フレームもしくは入風口と同じ形状で、その材質は選択性を具え、紙類、プラスチック及び金属のうちのひとつである。
【００１４】
本考案の長所と精神に関し、以下に考案の説明及び図式をあげて更に理解を求める。ただし添付した図式は参考のためであり、本考案を制限するものではない。
【実施例】
【００１５】
本考案は、一種のフィルタバッグ式フィルタ構造に関し、図と共に本考案の良好な実施例を元に詳細な説明を以下に行う。
第一図及び第二図は、本考案一種のフィルタバッグ式フィルタ構造の良好な実施例の立体指示図と立体分解図である。
図に示すとおり、該フィルタバッグ式フィルタ構造１０は、一フィルタフレームユニット１００及び複数個のフィルタバック２００を結合して構成される。
そのうち、フィルタフレームユニット１００のその周囲のフレーム辺１１０内の両相対するフレーム辺には複数本の連接凸１２０を連接し、これによってフィルタフレームユニット区域には複数個の入風口１３０が成形される。
事実、フィルタフレームユニット１００のフレーム辺１１０及び連接凸１２０は通常、錆び防止機能を具えた金属材を一体成型して製造される。
【００１６】
図に示すとおり、フィルタバック２００の数量は、入風口１３０の数量に相当し、フィルタフレームユニット１００全体に覆われる。
フィルタバック２００は、開口を具えた一袋体２１０及び一枠体２２０を含む。
袋体２１０の材質は通常不織布、ガラス繊維もしくは合成繊維等であり、その内部は更にライナー部２１１を含み、該ライナー部２１１は縫合方式で該袋体２１０の内側面に縫い合わせる。
【００１７】
枠体２２０は、袋体辺フレーム２２１及び複数本の連接体２２２から構成される格子フレームである。
該袋体辺フレーム２２１の形状と大きさは、フィルタフレームユニット１００の入風口１３０と同じで、枠体２２０を該入風口１３０に嵌入する。枠体２２０の材質は、紙類、プラスチックもしくは金属を使用し、一体成型もしくは組立製造を採用する。
【００１８】
該枠体２２０は、袋体辺フレーム２２１と袋体２１０開口箇所を連結し、袋体２１０の開口箇をしっかりと固定し、且つその形状が制限確定される。
図に示すとおり，枠体２２０のフィルタフレーム１００を嵌入した入風口１３０によって、該フィルタバック２００はフィルタフレームユニット１００上に固定され、完全なフィルタバッグ式フィルタ構造１０を形成する。
【００１９】
流体力学の原理原則を利用し、該フィルタバッグ式フィルタ構造１０へ空気が流入すると、フィルタバック２００の枠体２２０の複数本の連接体２２２の作用によって、空気の流れが速くなる他に、空気とフィルタバック２００の袋体２１０のライナー部２１１の接触面積が大きくなり、それによって該フィルタバッグ式フィルタ構造１０のろ過効率が強化される。
またフィルタバック２００は枠体２２０をフィルタフレームユニット１００の入風口１３０内に嵌入する。
そして各フィルタバック２００の各ろ過效果及び破損汚れの程度を見て、適時交換もしくは洗濯整理を実施することにより、コストを節約し、使用者の経済効率を高める。
【００２０】
本考案は同じ考案の精神に基づき、上述の良好な実施例の他に、第三図、第四図、第五図及び第六図に示す本考案一種のフィルタバッグ式フィルタ構造の第二、第三、第四及び第五実施例的立体指示図を示す。
図に示すとおり、フィルタフレームユニット１００の入風口１３０の形状は必要に応じて一体成型の円形、三角形、菱形及び蜂の巣形等に変化しても良く、効果は同じである。
同じくフィルタバック２００は異なる形状のフィルタフレームユニット１００を嵌入し、その枠体２２０の袋体辺フレーム２２１と連接体２２２も必要に応じて合わせて異なる形状にする。
独立もしくは組立方式で該フィルタフレームユニット１００の入風口１３０を結合するが、公知の矩形フィルタフレームユニットに拘らない。
【００２１】
上述のとおり、本考案の考案は産業利用性、新奇性及び進歩性に優れ実用新案登録の要件に符合する。
以上は本考案の良好な実施例に過ぎず、本考案実施の範囲を制限するものではない。
本考案が請求する範囲に因る変化と修飾は、すべて本考案の請求範囲に含まれる。
【図面の簡単な説明】
【００２２】
【図１】本考案のフィルタバッグ式フィルタ構造の良好な実施例的立体指示図である。
【図２】本考案のフィルタバッグ式フィルタ構造の良好な実施例的立体分解図である。
【図３】本考案のフィルタバッグ式フィルタ構造の第二実施例的立体指示図である。
【図４】本考案のフィルタバッグ式フィルタ構造の第三実施例的立体指示図である。
【図５】本考案のフィルタバッグ式フィルタ構造の第四実施例的立体指示図である。
【図６】本考案のフィルタバッグ式フィルタ構造の第五実施例的立体指示図である。
【符号の説明】
【００２３】
１０          フィルタバッグ式フィルタ構造
１００        フィルタフレームユニット
１１０        フレーム辺
１２０        連接凸
１３０        入風口
２００        フィルタバック
２１０        袋体
２１１        ライナー部
２２０        枠体
２２１        袋体辺フレーム
２２２        連接体
【図１】
0003145092.tif 000003
【図２】
0003145092.tif 000004
【図３】
0003145092.tif 000005
【図４】
0003145092.tif 000006
【図５】
0003145092.tif 000007
【図６】
0003145092.tif 000008